(57)【特許請求の範囲】
【請求項１】
紙製の外包用たとうと、該外包用たとうの内部に収納される紙製の内袋とを備え、該内袋に香典としての金銭が収納される香典袋において、線香が線香収納台に取り付けられ、該線香収納台が前記外包用たとうまたは内袋に着脱自在に取付けられていることを特徴とする香典袋。
【請求項２】
前記線香収納台に複数の線状溝が形成され、該線状溝に線香が嵌合していることを特徴とする請求項１に記載の香典袋。
【請求項３】
前記線香収納台と一体にメッセージカードが形成されていることを特徴とする請求項１または２に記載の香典袋。
【発明の詳細な説明】
【０００１】
【発明の属する技術分野】
本発明は香典袋に関し、更に詳細に説明すると、紙製の外包用たとうと、該外包用たとうの内部に収納される紙製の内袋とを備え、該内袋に香典としての金銭が収納される香典袋に関する。
【０００２】
【従来の技術】
従来より、香典袋が用いられ、この香典袋は紙製の外包用たとうと、この外包用たとうの内部に収納される紙製の内袋とを備えている。この内袋に香典としての金銭が収納され、外包用たとうの左右及び上下を折り畳み内袋を包み込み、霊前に供えている。この香典は死者の霊に供する香に代えて金銭を供えるものである。内袋に収納される金銭の多寡だけにより故人への思いを伝えているのが現状である。
【０００３】
【発明が解決しようとする課題】
然し乍ら、従来の香典袋は紙製の外包用たとうと、この外包用たとうの内部に収納される紙製の内袋とからなるだけで、この内袋に入れられる紙幣等の金銭の多寡だけで故人への思いを伝えているものであり、香典袋に新たな機能をもたせることができないものであった。また線香等の香を供える場合には香だけとなり、別途金銭を供える場合には香典袋を用いることとなる欠点を有していた。
【０００４】
更に、線香は白檀、丁子、沈香、安息香等を松脂等の糊料で固めて線状に形成されているため、多数の線香をまとめて供える場合にも折れ易く、少数の線香を簡易に破損することなく供するのが困難であった。
【０００５】
本発明の目的は、従来の香典袋の機能に新たな香を付加し、金銭と共に香典としての香の機能を付加することができ、故人への思いを十分に伝えることができ、且つ取り扱いが容易で少数の線香でも破損させる虞れがなく、強度を有し、また葬儀場の受け付けでの仕分け作業を簡便にすることができる香典袋を提供するものである。
【０００６】
【課題を解決するための手段】
本発明は上述せる課題に鑑みてなされたもので、本発明の請求項１に記載の香典袋は、紙製の外包用たとうと、該外包用たとうの内部に収納される紙製の内袋とを備え、該内袋に香典としての金銭が収納される香典袋において、線香が線香収納台に取付けられ、該線香収納台が前記外包用たとうまたは内袋に着脱自在に取り付けられていることを特徴とする。
【０００７】
本発明の請求項２に記載の香典袋は、前記線香収納台に複数の線状溝が形成され、該線状溝に線香が嵌合していることを特徴とする。
【０００８】
本発明の請求項３に記載の香典袋は、前記線香収納台と一体にメッセージカードが形成されていることを特徴とする。
【０００９】
本発明の請求項１に記載の香典袋によれば、線香が線香収納台に取付けられ、該線香収納台が前記外包用たとうまたは内袋に着脱自在に取付けられているので、少数の線香が破損する虞れがなく、線香が着脱自在となり、葬儀場の受け付けでの仕分け作業を簡便にすることができ、内袋の金銭と外包用たとうまたは内袋の線香とを簡易迅速に分離させることができ、取り扱いが容易で強度を向上させることができる。
【００１０】
本発明の請求項２に記載の香典袋によれば、前記線香収納台に複数の線状溝が形成され、該線状溝に少数の線香が嵌合しているので、少数の線香であっても破損する虞れがなく、線香の取り扱いが容易で強度を向上させることができる。
【００１１】
本発明の請求項３に記載の香典袋によれば、前記線香収納台と一体にメッセージカードが形成されているので、メッセージカードにメッセージを記入することができ、故人への思いを伝えることができる。また線香収納台とメッセージカードを分離してメッセージカードを保存し、または柩にいれることもできる。
【００１２】
【発明の実施の形態】
以下本発明に係る香典袋を図面を参照して詳述する。図１（ａ）、（ｂ）、（ｃ）乃至図７には本発明に係る香典袋の実施の形態が夫々示されており、本実施の形態では水引模様が印刷された香典袋につき説明するが、別途形成された水引を取付けたものにも適用することができる。
【００１３】
図１（ａ）、（ｂ）、（ｃ）に示す如く、香典袋１は図１（ａ）に示す外包用たとう３と、図１（ｂ）に示す紙製の内袋５とを備え、外包用たとう３の左右及び上下を折り畳むことにより外包用たとう３の内部に紙製の内袋５が収納されるようになされている。前記紙製の内袋５には香典としての金銭が収納される。
【００１４】
前記香典袋１には、図１（ｃ）に示す如く、少数の線香７が収納され、または取付けられている。この少数の線香７は前記外包用たとう３及び内袋５の内側に収納される他、外包用たとう３及び内袋５の内側に取付けることができる。尚、線香７の本数は香典袋１に収納し得る範囲であれば、１〜２本から何本であってもよい。また線香７の太さ及び長さも適宜のものを用いることができる。
【００１５】
図２に示す如く、少数の線香７は線香収納台１１に取付けられている。この線香収納台１１は台紙やプラスチック等から形成され、少数の線香７を平行に配列させることができるように、複数の収納部１３が形成されている。この収納部１３は線香収納台１１に収納用の線状溝や筒状部により形成することができる。
【００１６】
尚、収納用の線状溝に少数の線香７を平行に配列した場合には、脱落防止用の透明なシートやテープ等で表面側を覆うのが好ましい。またフィルムにより少数の線香７をラミネートすることにより線香収納台１１とすることもできる。
【００１７】
図３に示す如く、外包用たとう３の裏面側に少数の線香７が収納された線香収納台１１が糊付けされる。尚、外包用たとう３の外側に限らず外包用たとう３の内側に線香収納台１１を糊付けすることもできる。また内袋５の外側に線香収納台１１を糊付けすることもできる。
【００１８】
尚、本実施の形態では外包用たとう３の上下方向に線香７の長手方向を合わせて取付けたが横方向に線香７の長手方向を合わせて取付けることもでき、または斜めに取付けることもできる。
【００１９】
図４及び図５には、本発明の異なる実施の形態が夫々示されており、前記線香収納台１１の上下位置に左右一対の差し込み片１５を形成し、この差し込み片１５を図５に示す如く、外包用たとう３の裏面側の上下方向に形成された左右一対のスリット３ａに夫々挿入することにより取付けることができるように構成されているものである。尚左右一対の差し込み片１５を糊付けしてもよい。
【００２０】
図６には、本発明の異なる実施の形態が夫々示されており、前記線香収納台１１と一体にメッセージカード１７が形成されているものである。この線香収納台１１とメッセージカード１７との間にミシン目スリット１９が形成され、このミシン目スリット１９より、線香収納台１１とメッセージカード１７とを分離することができ、葬儀場の受け付けでの仕分け作業を簡便にすることができる。
【００２１】
尚、図７に示す如く、メッセージカード１７を内袋５の外側に形成することもでき、またはメッセージカード１７を別途形成し、外包用たとう３の内部に収納するものであってもよい。
【００２２】
【発明の効果】
以上が本発明に係る香典袋の実施の形態であるが、本発明の請求項５に記載の香典袋によれば、線香が線香収納台に取付けられ、該線香収納台が前記外包用たとうまたは内袋に着脱自在に取り付けられているので、少数の線香が破損する虞れがなく線香が着脱自在となり、葬儀場の受け付けでの仕分け作業を簡便にすることができ、内袋の金銭と外包用たとうまたは内袋の線香とを簡易迅速に分離させることができ、取り扱いが容易で強度を向上させることができる。
【００２３】
本発明の請求項２に記載の香典袋によれば、前記線香収納台に複数の線状溝が形成され、該線状溝に少数の線香が嵌合しているので、少数の線香であっても破損する虞れがなく、線香の取り扱いが容易で強度を向上させることができる。
【００２４】
本発明の請求項３に記載の香典袋によれば、前記線香収納台と一体にメッセージカードが形成されているので、メッセージカードにメッセージを記入することができ、故人への思いを伝えることができる。また線香収納台とメッセージカードを分離してメッセージカードを保存し、または柩にいれることもできる。
【図面の簡単な説明】
【図１】  本発明に係わる香典袋を示すもので、（ａ）は外包用たとうの折り畳み前の表面図、（ｂ）は内袋の表面図、（ｃ）は線香の斜視図である。
【図２】  本発明に係わる香典袋の線香収納台の斜視図である。
【図３】  本発明に係わる香典袋の線香収納台の取付け状態の斜視図である。
【図４】  本発明に係わる香典袋の線香収納台の異なる実施の形態の斜視図である。
【図５】  本発明に係わる香典袋の線香収納台の異なる実施の形態の取付け状態の斜視図である。
【図６】  本発明に係わる香典袋の線香収納台にメッセージカードを一体に形成した実施の形態の斜視図である。
【図７】  本発明に係わる香典袋の内袋にメッセージカードを形成した実施の形態の斜視図である。
【符号の説明】
１  香典袋
３  外包用たとう
３ａ  スリット
５  内袋
７  線香
１１  線香収納台
１３  収納部
１５  差し込み片
１７  メッセージカード
１９  ミシン目スリット
【図１】
0003785565.tif 000002
【図２】
0003785565.tif 000003
【図３】
0003785565.tif 000004
【図４】
0003785565.tif 000005
【図５】
0003785565.tif 000006
【図６】
0003785565.tif 000007
【図７】
0003785565.tif 000008